(57)【要約】      （修正有）【課題】軸線と直交する方向の入力に対して耐久性を確保することのできる筒型防振マウントを提供する。【解決手段】筒状部材１２の、ゴム部材１３との接着面下端より上の部分は、軸線Ｃと平行な内周面１２ａと外周面１２ｂとを有する直円筒部２１と、その上端に繋がり、内周面２２ａが滑らかに拡径する拡径部２２とを具え、ブラケット１４は、拡径部２２の最大径より大きい内径を有するガイド部２３と、ガイド部２３より上に位置し筒状部材１２を支持した姿勢において、直円筒部２１と嵌合する一定内径部２４とを有し、ゴム部材１３の上側面１３ａは、軸線Ｃを通る断面において、筒状部材１２の拡径部２２の内周面上の点を始端１３ｃとして、始端１３ｃから半径方向内側に向かいつつ、滑らかに上向きに傾斜角度を増加させる部分を有する。【選択図】図５
2010249188.tif 000002
【特許請求の範囲】
【請求項１】
中心部材と、中心部材の軸方向下側の軸線上に配置され、中心部材の外径より大きい内径を有する筒状部材と、これらの部材間に配設されてこれらの部材を加硫接着により連結するゴム部材と、前記筒状部材の外周側を嵌入させて支持するブラケットとを具え、このゴム部材の上側面は、軸線を通る断面において、半径方向内側に凹となる部分と、筒状部材上の点を始端として始端から半径方向内側に向かいつつ滑らかに上向きに傾斜角度を増加させる部分とを有する筒型防振マウントにおいて、
前記筒状部材の、ゴム部材との接着面下端より上の部分は、軸線と平行な内周面と外周面とを有する直円筒部と、その上端に繋がり、内周面が滑らかに拡径する拡径部とを具え、前記ゴム部材の上側面は、筒状部材の前記拡径部の内周面上の点を前記始端とすることを特徴とする筒型防振マウント。
【請求項２】
前記拡径部の外周面は、直円筒部の外周面から真っ直ぐに伸びた面である請求項１に記載の筒型防振マウント。
【請求項３】
前記拡径部の外周面は、直円筒部の外周面から滑らかに拡径する面で構成され、前記ブラケットは、前記拡径部の最大外径より大きいより内径を有するガイド部と、ガイド部より上に位置し、前記筒状部材を支持した姿勢において直円筒部の外径と嵌合する内径を有する一定内径部とを具えることを特徴とする請求項１に記載の筒型防振マウント。
【請求項４】
前記ガイドと前記一定内径部との間に、内径が、徐々に変化する径変化部を有することを特徴とする請求項３に記載の筒型防振マウント。
【発明の詳細な説明】
【技術分野】
【０００１】
本発明は、中心部材と、中心部材の軸方向下側の軸線上に配置され、中心部材の外径より大きい内径を有する筒状部材と、これらの部材間に配設されてこれらの部材を連結するゴム部材と、前記筒状部材の外周側を嵌入させて支持するブラケットとを具え、このゴム部材の上側面は、軸線を通る断面において、半径方向内側に凹となる部分と、筒状部材上の点を始端として始端から半径方向内側に向かいつつ滑らかに上向きに傾斜角度を増加させる部分とを有する筒型防振マウントに関し、特に、軸線と直交する方向の入力に対して耐久性を確保することのできるものに関する。
【背景技術】
【０００２】
図１は、従来の筒型防振マウントを示す断面図であり、筒型防振マウント９０は、中心部材９１と、中心部材９１の軸方向下側の軸線Ｃ上に配置され、中心部材９１の外径より大きい内径を有する筒状部材９２と、これらの部材９１、９２間に配設されてこれらの部材９１、９２を連結するゴム部材９３と、前記筒状部材９２の外周側を嵌入させて支持するブラケット９４とを具え、このゴム部材９３の上側面９３ａは、軸線Ｃを通る断面において、半径方向内側に凹となる部分９３ｂと、筒状部材上の点を始端９３ｃとして始端９３ｃから半径方向内側に向かいつつ滑らかに上向きに傾斜角度を増加させる部分とを有する。
【０００３】
そして、従来の筒型防振マウント９０にあっては、ゴム部材の上側面９３ａは、筒状部材９２の内筒面９２ａ上の点もしくは内筒面９２ａの先端の角部９２ｂを前記始点９３ｃとしている。
【０００４】
このように構成された筒型防振マウント９０に、軸線Ｃと直交する方向の入力があったとき、ゴム部材上側面９３ａの始端９３ｃには、ゴム部材９３を筒状部材９２から引き剥がそうとする応力が集中し、接着耐久性が低下するという問題があった。
【０００５】
軸線Ｃと直交する方向の入力に対して、ゴム部材上側面の始端が筒状部材９２から引き剥がされることに対する耐久性を確保するためには、例えば、図２に、筒型防振マウント９０Ａの断面図で示すように、ゴム部材上側面９３ａが、筒状部材９２の内筒面９２ａ上の点もしくは内筒面９２ａの先端の角部９２ｂにある始点９３ｃから一旦下側へ向い、傾斜角度を徐々に変化させて水平にしてゆき最下点Ｐで上向きに折り返せようにすればよい。なぜなら、この場合、軸線Ｃと直交する方向の入力は、最下点Ｐが上下することによって吸収されるので、筒状部材９２との接着面の終端であることによって最も剥がれやすい始点９３ｃへの影響は大幅に緩和されるからである。
【０００６】
しかし、この場合、ゴム部材９３を金型内で加硫接着させたあと、製品を金型から脱型できるようにするためには、ゴム部材９３の上側面９３ａに、半径方向内側に凹となる部分９３ｂがあるので、金型が極めて複雑になってしまう。
【０００７】
すなわち、図１に示すような筒型防振マウント９０の場合、２点鎖線で示す金型９９を、周方向に配列された複数個のセグメントで構成すればよく、これらのセグメントを半径方向内外に移動することによって、金型９９を開閉することができるのに対して、図２に示すような筒型防振マウント９０Ａにおいては、２点鎖線で示す金型９９Ａを、周方向に配列された複数個のセグメントで構成した場合には、ゴム部材上側面９３ａの最下点Ｐを含む凹部に対応する金型部分が製品と干渉して抜くことができず、一方、この問題を回避しようとして、金型９９Ａを、上下に移動させて開閉させる構成にした場合には、ゴム部材上側面９３ａの半径方向内側に凹となる部分９３ｂに対応する金型部分が、製品と干渉して抜くことができず、したがって、金型９９Ａから製品を脱型できるように構成しようとすると、極めて複雑な構造にする必要があった。
【０００８】
この問題の対応策として、図３に断面図で示すような筒型防振マウント（例えば、特許文献１参照。）も提案されており、筒型防振マウント８０は、筒型防振マウント９０と同様に、中心部材８１と、中心部材８１の軸方向下側の軸線Ｃ上に配置され、中心部材８１の外径より大きい内径を有する筒状部材８２と、これらの部材８１、８２間に配設されてこれらの部材８１、８２を連結するゴム部材８３と、前記筒状部材８２の外周側を嵌入させて支持するブラケット８４とを具え、このゴム部材８３の上側面８３ａは、半径方向内側に凹となる部分８３ｂを有している。
【０００９】
筒状部材８２は、内周面、外周面とも一定の半径を有する筒部８２ａと、筒部８２ａの上端に繋がり、一旦半径方向内側に向かったあと半径方向外側に戻るくびれ部８２ｂとで構成され、ゴム部材８３の上側面８３ａは、軸線Ｃを通る断面において、筒状部材８２のくびれ部８２ｂの上端を始点８３ｃとし、始端８３ｃから半径方向内側に向かいつつ、滑らかに上向きに傾斜角度を増加させる部分を有している。
【００１０】
すなわち、ゴム部材８３の上側面８３ａは、筒状部材８２のくびれ部８２ｂの上端を始点８３ｃとして、筒状部材８２の表面に沿いつつ徐々に、筒状部材８２から離れるよう構成されている。この場合、軸線Ｃと直交する方向の入力は、始点８３ｃから少し離れた上側面８３ａ上の点が変位してそこで応力が吸収されるので、筒状部材８２との接着面の終端であることによって最も剥がれやすい始点８３ｃへの影響は緩和される。
【００１１】
しかし、この筒型防振マウント８０において、今度は、筒状部材８２上のゴム部材８３部分と、中心部材８１上のゴム部材部分との最短距離に沿った長さ、すなわち、自由長Ｌは、くびれ部８２ｂ上の点Ｑ１と、中心部材上の点Ｑ２との間の距離となり、この自由長Ｌが短いと外力に対してこの最短距離に沿った線上の応力を吸収することが難しくなり、結果的には、くびれ部８２ｂを形成したことによってゴム部材８３自体の耐久性が低下してしまうという問題があった。
【先行技術文献】
【特許文献】
【００１２】
【特許文献１】特許第３４８９５００号公報
【発明の概要】
【発明が解決しようとする課題】
【００１３】
本発明は、このような問題点に鑑みてなされたものであり、軸線と直交する方向の入力に対して耐久性を確保することのできるる筒型防振マウントを提供することを目的とする。
【課題を解決するための手段】
【００１４】
＜１＞は、中心部材と、中心部材の軸方向下側の軸線上に配置され、中心部材の外径より大きい内径を有する筒状部材と、これらの部材間に配設されてこれらの部材を加硫接着により連結するゴム部材と、前記筒状部材の外周側を嵌入させて支持するブラケットとを具え、このゴム部材の上側面は、軸線を通る断面において、半径方向内側に凹となる部分と、筒状部材上の点を始端として始端から半径方向内側に向かいつつ滑らかに上向きに傾斜角度を増加させる部分とを有する筒型防振マウントにおいて、
前記筒状部材の、ゴム部材との接着面下端より上の部分は、軸線と平行な内周面と外周面とを有する直円筒部と、その上端に繋がり、内周面が滑らかに拡径する拡径部とを具え、前記ゴム部材の上側面は、筒状部材の前記拡径部の内周面上の点を前記始端とすることを特徴とする筒型防振マウントである。
【００１５】
＜２＞は、＜１＞において、前記拡径部の外周面は、直円筒部の外周面から真っ直ぐに伸びた面である筒型防振マウントである。
【００１６】
＜３＞は、＜１＞において、前記拡径部の外周面は、直円筒部の外周面から滑らかに拡径する面で構成され、前記ブラケットは、前記拡径部の最大外径より大きいより内径を有するガイド部と、ガイド部より上に位置し、前記筒状部材を支持した姿勢において直円筒部の外径と嵌合する内径を有する一定内径部とを具えることを特徴とする筒型防振マウントである。
【００１７】
＜４＞は、＜３＞において、前記ガイドと前記一定内径部との間に、内径が、徐々に変化する径変化部を有することを特徴とする筒型防振マウントである。
【発明の効果】
【００１８】
＜１＞によれば、前記ゴム部材の上側面は、筒状部材の前記拡径部の内周面上の点を前記始端とするので、軸線と直交する方向に入力があった場合、この入力は始点から少し離れた上側面上の点で応力が吸収されるので、筒状部材との接着面の終端であることによって最も剥がれやすい始点への影響は緩和され、耐久性を十分確保することができる。
【００１９】
しかも、筒状部材の、ゴム部材との接着面下端より上の部分は、軸線と平行な内周面と外周面とを有する直円筒部と、その上端に繋がり、内周面が滑らかに拡径する拡径部とを具えており、すなわち、筒状部材の、ゴム部材との接着面下端より上の部分には、半径方向内側にくびれる部分がないので、ゴム部材自身の耐久性も十分確保することができる。
【００２０】
＜２＞によれば、前記拡径部の外周面は、直円筒部の外周面から真っ直ぐに伸びた面であるので、筒状部材をブラケットに容易に嵌入することができる。
【００２１】
＜３＞によれば、前記ブラケットは、拡径部の最大径より大きい内径を有するガイド部と、ガイド部より上に位置し前記筒状部材を支持した姿勢において、前記直円筒部の外径と嵌合する内径を有する一定内径部とを具えるので、筒状部材をブラケットに嵌入させるに際して、筒状部材の拡径部をブラケットに容易に嵌入させることができる。
【００２２】
＜４＞によれば、前記ガイドと前記一定内径部との間に、内径が、徐々に変化する径変化部を有するので、筒状部材の拡径部を、弾性的に縮径させやすく、組み付け作業一層簡易なものにすることができる。
【図面の簡単な説明】
【００２３】
【図１】従来の筒型防振マウントを示す断面図である。
【図２】従来の他の筒型防振マウントを示す断面図である。
【図３】従来の別の筒型防振マウントを示す断面図である。
【図４】本発明に係る第１実施形態の筒型防振マウントを示す断面図である。
【図５】本発明に係る第２実施形態の筒型防振マウントを示す断面図である。
【図６】第２実施形態の筒型防振マウントにおいて、筒状部材をブラケットに挿入する途中の状態を示す断面図である。
【図７】第１実施形態の変形例の筒型防振マウントを示す断面図である。
【発明を実施するための形態】
【００２４】
本発明の実施形態について図に基づいて説明する。図４は、第１実施形態の筒型防振マウントを示す断面図であり、筒型防振マウント１０は、中心部材１と、中心部材１の軸方向下側の軸線Ｃ上に配置され、中心部材１の外径より大きい内径を有する筒状部材２と、これらの部材１，２間に配設されてこれらの部材１，２を加硫接着により連結するゴム部材３と、筒状部材２の外周側２ａを嵌入させて支持するブラケット４とを具え、このゴム部材３の上側面３ａは、半径方向内側に凹となる部分３ｂを有する。
【００２５】
この筒型防振マウント１０は、その特徴として、筒状部材２の、ゴム部材３との接着面下端より上の部分は、軸線Ｃと平行な内周面２ａと外周面２ｂとを有する直円筒部４１と、その上端に繋がり、内周面４２ａが滑らかに拡径する拡径部４２とを具える。
【００２６】
また、ゴム部材３の上側面３ａは、軸線Ｃを通る断面において、筒状部材２の拡径部４２の内周面上の点を始端３ｃとし、始端３ｃから半径方向内側に向かいつつ、滑らかに上向きに傾斜角度θを増加させる部分を有する。この場合、始端３ｃを、拡径部４２の内周面上の点のうち、最上端に近くに配置するのが好ましい。
【００２７】
このような特徴を有する筒型防振マウント１０は、ゴム部材上側面３ａの始端３ｃが筒状部材２の拡径部４２上にあることによって、軸線Ｃと直交する方向に入力があった場合、この入力は始点３ｃから少し離れた上側面３ａ上の点で応力が吸収されるので、筒状部材２との接着面の終端であることによって最も剥がれやすい始点３ｃへの応力の集中は緩和され、耐久性を十分確保することができる。
【００２８】
また、筒状部材２は、直円筒部４１と拡径部４２とを具えるだけであるので、半径方向内側にくびれる部分を有しておらず、このことによってゴム部材の自由長を長くとることができ、ゴム部材自身の耐久性も十分確保することができる。
【００２９】
図５は、第２実施形態の筒型防振マウントを示す断面図であり、筒型防振マウント２０も、筒型防振マウント１０と同様に、中心部材１１と、中心部材１１の軸方向下側の軸線Ｃ上に配置され、中心部材１１の外径より大きい内径を有する筒状部材１２と、これらの部材１１、１２間に配設されてこれらの部材１１、１２を加硫接着により連結するゴム部材１３と、筒状部材１２の外周側１２ａを嵌入させて支持するブラケット１４とを具え、このゴム部材１３の上側面１３ａは、半径方向内側に凹となる部分１３ｂを有する。
【００３０】
筒型防振マウント２０も、その特徴として、筒状部材１２の、ゴム部材１３との接着面下端より上の部分は、軸線Ｃと平行な内周面１２ａと外周面１２ｂとを有する直円筒部２１と、その上端に繋がり、内周面２２ａが滑らかに拡径する拡径部２２とを具える。
ブラケット１４は、拡径部２２の最大径より大きい内径を有するガイド部２３と、ガイド部２３より上に位置し筒状部材１２を支持した姿勢において、直円筒部２１と嵌合する一定内径部２４とを有する。
【００３１】
筒型防振マウント２０は、この構成によって、拡径部２２を有する筒状部材２をブラケットに嵌入させるに際して、図６（ａ）、（ｂ）に示すように、筒状部材１２の拡径部２２をブラケット１４に容易に嵌入させることができる。
【００３２】
すなわち、ガイド部２３から一定内径部２４に移行するする領域に、内径が、ガイド部２３の内径から一定内径部２４の内径がD1からD2に徐々に変化する径変化部２５を設けることにより、筒状部材１２の拡径部２２を、変形のない状態から、図６（ａ）に示した状態を経て、図６（ｂ）に示した状態になるまで弾性的に縮径させやすく、組み付け作業一層簡易なものにすることができる。
【００３３】
筒型防振マウント２０は、また、ゴム部材１３の上側面１３ａは、軸線Ｃを通る断面において、筒状部材１２の前記拡径部２２の上端を始端１３ｃとして、始端１３ｃから半径方向内側に向かいつつ、滑らかに上向きに傾斜角度を増加させる部分を有する。
【００３４】
筒型防振マウント２０は、このような構成によって、軸線Ｃと直交する方向に入力があった場合、この入力は始点１３ｃから少し離れた上側面１３ａ上の点で応力が吸収されるので、筒状部材１２との接着面の終端であることによって最も剥がれやすい始点１３ｃへの影響は緩和され、耐久性を十分確保することができる。この場合、始端３ｃを、拡径部４２の内周面上の点のうち、最上端に近くに配置するのが好ましい。
【００３５】
また、筒型防振マウント１０と同様に、筒型防振マウント２０においても、筒状部材２は、半径方向内側にくびれる部分を有しておらず、このことによってゴム部材の自由長を長くとることができ、ゴム部材自身の耐久性も十分確保することができる。
【００３６】
なお、図４、５に示した第１、第２実施形態は、いわゆる液封式の防振装置であって、この実施形態においては、ゴム部材３、１３の下方の筒状部材１、１１には、その内側に液密に取付けられた仕切り部材３３がさらに設けられ、仕切り部材３３のゴム部材３、１３の反対側には柔軟に変形する膜部材３５が配置され、ゴム部材３、１３と仕切り部材３３とで囲まれた空間よりなる主液室３１と、膜部材３５と仕切り部材３３とで囲まれた空間よりなる副液室３２とにはそれぞれ液体が封入され、主液室３１と副液室３２とは、仕切り部材３３内に形成されたオリフィス３４を介して連通していて、筒状部材１、１と中心部材１、１１との軸方向の相対変位により主液室３１の容積が変化するのに伴って液体は狭い流路を形成するオリフィス３４を通って移動するので振動を抑制する効果を発揮することができる。
【００３７】
ただし、本発明の筒型防振マウントは、第１、第２実施形態で示したような液体封入式防振装置に限定されるものではなく、例えば、図７に、図４における部分と同じ機能を有するものについて同じ符号を付けた断面図で示すような、液室を持たずにゴム部材３のエネルギ減衰作用だけで防振する第１実施形態の変形例の筒型防振マウント３０についても適用することができ、この場合も、ゴム部材３の上側面３ａが、軸線Ｃを通る断面において、筒状部材２の上端面２ａ上の点を始端３ｃとし、始端３ｃから半径方向内側に向かいつつ、滑らかに上向きに傾斜角度θを増加させる部分を有することに変わりはない。
【産業上の利用可能性】
【００３８】
本発明に係る筒型防振マウントは、自動車のエンジンマウントやボディマウントとして用いることができる。
【符号の説明】
【００３９】
１  中心部材
２  筒状部材
２ａ  筒状部材の直円筒部の内周面
２ｂ  筒状部材の直円筒部の外周面
３  ゴム部材
３ａ  ゴム部材の上側面
３ｂ  ゴム部材の半径方向内側に凹となる部分
３ｃ  ゴム部材上側面の始点
４  ブラケット
１０  筒型防振マウント
１１  中心部材
１２  筒状部材
１２ａ  筒状部材の上端面
１３  ゴム部材
１３ａ  ゴム部材の上側面
１３ｂ  ゴム部材の半径方向内側に凹となる部分
１３ｃ  ゴム部材上側面の始点
１４  ブラケット
２０  筒型防振マウント
２１  筒状部材の直円筒部
２２  筒状部材の拡径部
２２ａ  拡径部の内周面
２３  ブラケットのガイド部
２４  ブラケットの一定内径部
２５  ブラケットの径変化部
３１  主液室
３２  副液室
３３  仕切り部材
３４  オリフィス
３５  膜部材
３０  筒型防振マウント
４１  筒状部材の直円筒部
４２  筒状部材の拡径部
４２ａ  筒状部材の拡径部の内周面
Ｃ  軸線
【図１】
2010249188.tif 000003
【図２】
2010249188.tif 000004
【図３】
2010249188.tif 000005
【図４】
2010249188.tif 000006
【図５】
2010249188.tif 000007
【図６】
2010249188.tif 000008
【図７】
2010249188.tif 000009